(57)【要約】【課題】従来構造よりも大幅に小型化した紫外線照射装置を提供する。【解決手段】紫外線照射装置は、第一方向に離間して、又は第一方向に電気的に絶縁された状態で配置された、第一電極ブロック及び第二電極ブロックと、両電極ブロックのそれぞれの側面上に第一方向に延伸して形成された凹溝と、両電極ブロックの双方に形成された凹溝に一部分が嵌め込まれ、且つ、両電極ブロックに跨るように第一方向に延伸して配置された、エキシマランプからなる第一放電ランプと、第一放電ランプに対して電力を供給するための電源部と、第一電極ブロックと電源部とを電気的に接続する第一通電部材と、第二電極ブロックと電源部とを第一通電部材とは異なる電位で電気的に接続可能な第二通電部材と、第一放電ランプから出射される紫外線を外部に取り出すための光照射窓を備える。【選択図】        図３
2020092968.tif 000002
【特許請求の範囲】
【請求項１】
第一方向に離間して、又は前記第一方向に電気的に絶縁された状態で配置された、第一電極ブロック及び第二電極ブロックと、
前記第一電極ブロック及び前記第二電極ブロックのそれぞれの側面上に、前記第一方向に延伸するように形成された凹溝と、
前記第一電極ブロック及び前記第二電極ブロックの双方に形成された前記凹溝に一部分が嵌め込まれ、且つ、前記第一電極ブロック及び前記第二電極ブロックに跨るように前記第一方向に延伸して配置された、エキシマランプからなる第一放電ランプと、
前記第一放電ランプに対して電力を供給するための電源部と、
前記第一電極ブロックと前記電源部とを電気的に接続する第一通電部材と、
前記第二電極ブロックと前記電源部とを、前記第一通電部材とは異なる電位で電気的に接続可能な第二通電部材と、
前記第一放電ランプから見て前記第一電極ブロックとは反対側、及び前記第一放電ランプから見て前記第二電極ブロックとは反対側に形成され、前記第一放電ランプから出射される紫外線を外部に取り出すための光照射窓とを備えたことを特徴とする、紫外線照射装置。
【請求項２】
前記第一電極ブロック及び前記第二電極ブロックは、前記第一放電ランプから出射される光に対して反射性を有する金属部材からなることを特徴とする、請求項１に記載の紫外線照射装置。
【請求項３】
前記第一通電部材は、前記第一電極ブロックの所定の箇所に挿入されてなる第一ネジ部材と、前記第一ネジ部材と前記電源部とを接続する第一ワイヤとを含み、
前記第二通電部材は、前記第二電極ブロックの所定の箇所に挿入されてなる第二ネジ部材と、前記第二ネジ部材と前記電源部とを接続する第二ワイヤとを含むことを特徴とする、請求項１又は２に記載の紫外線照射装置。
【請求項４】
前記第一電極ブロック及び前記第二電極ブロックのそれぞれは、前記第一方向から見たときに、相互に離間した複数の箇所に前記凹溝が形成されており、
前記第一電極ブロック及び前記第二電極ブロックのそれぞれに形成された前記凹溝の個数に応じた数の前記第一放電ランプを備えることを特徴とする、請求項１〜３のいずれか１項に記載の紫外線照射装置。
【請求項５】
前記第一放電ランプよりも始動電圧の低い、第二放電ランプを有し、
前記第一電極ブロック及び前記第二電極ブロックのそれぞれは、前記第一方向から見たときに、相互に離間した複数の箇所に前記凹溝が形成されており、
前記第一電極ブロック及び前記第二電極ブロックのそれぞれに形成された前記凹溝の個数が、前記第一放電ランプの本数と前記第二放電ランプの本数の総数に対応していることを特徴とする、請求項１〜３のいずれか１項に記載の紫外線照射装置。
【請求項６】
前記第一放電ランプの本数は、前記第二放電ランプの本数以上であることを特徴とする、請求項５に記載の紫外線照射装置。
【請求項７】
前記第一放電ランプは、紫外線を出射可能な第一放電用ガスが封入された管体を有し、
前記第二放電ランプは、可視光を出射可能な第二放電用ガスが封入された管体を有することを特徴とする、請求項５又は６に記載の紫外線照射装置。
【請求項８】
前記第一放電用ガスは、ＫｒとＣｌとを含み、
前記第二放電用ガスは、Ｎｅを含むことを特徴とする、請求項７に記載の紫外線照射装置。
【請求項９】
前記電源部は、電池、及び前記電池から供給される電圧を変圧する電装体を含み、
前記電池が収容される電池収容部と、
前記電池収容部とは離間した位置に配置され前記電装体が収容される電装体収容部と、
前記電池収容部及び前記電装体収容部とは離間した位置に配置され、前記第一電極ブロック、前記第二電極ブロック、及び前記第一放電ランプを収容し、一部の箇所に前記光照射窓が形成されてなるランプ収容部と、
前記電池収容部、前記電装体収容部、及び前記ランプ収容部を収容するケーシング部材とを有することを特徴とする、請求項１〜８のいずれか１項に記載の紫外線照射装置。
【発明の詳細な説明】
【技術分野】
【０００１】
本発明は、紫外線照射装置に関する。
【背景技術】
【０００２】
従来、物品や皮膚の殺菌の用途に利用される紫外線照射装置が開発されている（例えば特許文献１、特許文献２参照）。
【先行技術文献】
【特許文献】
【０００３】
【特許文献１】特開２０１８−１１３１１６号公報
【特許文献２】特開２０１７−１６４４１７号公報
【発明の概要】
【発明が解決しようとする課題】
【０００４】
図１８は、特許文献２に開示されている小型の紫外線照射装置の構造を模式的に示す図面である。紫外線照射装置１００は、把持部１０１を含む筐体１０２内に収容されたランプ収容部１０３と、光照射窓１０４とを備える。ランプ収容部１０３内には、紫外線を出射するエキシマランプ１１０が内蔵されている。
【０００５】
図１９は、エキシマランプ１１０の構造を模式的に示す図面である。エキシマランプ１１０は、円筒状の外側管１２１と、外側管１２１の内側において外側管１２１と同軸上に配置されており、外側管１２１よりも内径が小さい円筒状の内側管１２２とを有する。外側管１２１と内側管１２２とは方向ｄ１に係る端部において封止されており、両者の間には円環状の発光空間が構成され、当該空間内には放電用ガス１２３Ｇが封入される。
【０００６】
外側管１２１の外壁面には網状又はメッシュ状の外側電極１２４が設けられ、内側管１２２の内壁面には膜状の内側電極１２５が設けられている。外側電極１２４及び内側電極１２５は、それぞれ高周波の交流電圧を発生可能な電源部１２６と電気的に接続されている。
【０００７】
電源部１２６によって外側電極１２４と内側電極１２５との間に高周波の交流電圧が印加されることにより、外側管１２１と内側管１２２の管体を介して放電用ガス１２３Ｇに対して電圧が印加され、放電用ガス１２３Ｇが封入されている放電空間内で放電プラズマが生じる。これにより放電用ガス１２３Ｇの原子が励起されてエキシマ状態となり、この原子が基底状態に移行する際にエキシマ発光を生じる。
【０００８】
放電用ガス１２３Ｇとして用いられるガスの種類に応じて、エキシマ発光の波長を変えることができる。例えば、特許文献１には、放電用ガス１２３Ｇとして塩化クリプトン（ＫｒＣｌ）ガスを用いることで、殺菌用途に適した主たる発光波長が２２２ｎｍの紫外線を得ることができる旨の記載がされている。
【０００９】
ところで、図１９に図示されたエキシマランプ１１０は、上述したように、２種類の管体（１２１，１２２）が同軸上に配置されてなる。このため、エキシマランプ１１０を収容する筐体１０２は、ある程度の大きさを確保せざるを得ない。特許文献２に記載された紫外線照射装置１００は、皮膚疾患の治療に利用されることが想定されており、利用者や利用状況が制限されていた。しかしながら、より広く一般的な殺菌や消臭の用途に利用される紫外線照射装置としては、図１９に図示されたようなエキシマランプ１１０の構造では、大きすぎるという課題がある。一例を挙げれば、靴の中の殺菌や脱臭を希望する場合に、図１９に図示された紫外線照射装置１００を利用するのは、現実的に難しい。
【００１０】
本発明は、上記の課題に鑑み、従来構造よりも大幅に小型化した紫外線照射装置を提供することを目的とする。
【課題を解決するための手段】
【００１１】
本発明に係る紫外線照射装置は、
第一方向に離間して、又は前記第一方向に電気的に絶縁された状態で配置された、第一電極ブロック及び第二電極ブロックと、
前記第一電極ブロック及び前記第二電極ブロックのそれぞれの側面上に、前記第一方向に延伸するように形成された凹溝と、
前記第一電極ブロック及び前記第二電極ブロックの双方に形成された前記凹溝に一部分が嵌め込まれ、且つ、前記第一電極ブロック及び前記第二電極ブロックに跨るように前記第一方向に延伸して配置された、エキシマランプからなる第一放電ランプと、
前記第一放電ランプに対して電力を供給するための電源部と、
前記第一電極ブロックと前記電源部とを電気的に接続する第一通電部材と、
前記第二電極ブロックと前記電源部とを、前記第一通電部材とは異なる電位で電気的に接続可能な第二通電部材と、
前記第一放電ランプから見て前記第一電極ブロックとは反対側、及び前記第一放電ランプから見て前記第二電極ブロックとは反対側に形成され、前記第一放電ランプから出射される紫外線を外部に取り出すための光照射窓とを備えたことを特徴とする。
【００１２】
上記構成によれば、第一放電ランプは、第一電極ブロックと第二電極ブロックの双方に形成された凹溝に一部分が嵌め込まれ、第一電極ブロックと第二電極ブロックの双方に跨るように配置されている。このため、第一放電ランプは、単なる直管型の構造によって放電が可能となるため、従来のように二重管構造の採用を必要としない。一例として、この第一放電ランプの管体の大きさは、第一方向に係る長さが１５ｍｍ以上、２００ｍｍ以下であり、外径が２ｍｍ以上１６ｍｍ以下である。
【００１３】
具体的には、第一電極ブロックに形成された凹溝と第一放電ランプ（より詳細には、第一放電ランプの管体）との接触領域が、一方の電極（以下、「第一電極領域」という。）を形成し、第二電極ブロックに形成された凹溝と第一放電ランプ（より詳細には、第一放電ランプの管体）との接触領域が、他方の電極（以下、「第二電極領域」という。）を形成する。第一電極ブロックと第二電極ブロックとは、第一方向に離間しているか、又は第一方向に電気的に絶縁された状態で配置されているため、両者が短絡することはない。また、このような構成のため、第一電極領域と第二電極領域とは、第一放電ランプの管体の側面上において、第一方向に離間した位置に形成される。
【００１４】
すなわち、上記構成によれば、電源部から第一通電部材を通じて第一電極ブロックに与えられる電位と、電源部から第二通電部材を通じて第二電極ブロックに与えられる電位とに電位差が設けられることで、第一放電ランプには、第一方向に離間した第一電極領域と第二電極領域との間に電圧が印加される。これにより、第一放電ランプ内で放電が生じ、紫外線を出射する。
【００１５】
光照射窓は、第一放電ランプから見て第一電極ブロックとは反対側、及び第一放電ランプから見て第二電極ブロックとは反対側に形成されている。このため、第一放電ランプから出射された紫外線は、第一電極ブロックや第二電極ブロックによって遮られない側から装置外部へと取り出される。
【００１６】
第一電極ブロック及び第二電極ブロックは、それぞれのブロック全体が導電性材料で形成されていても構わない。
【００１７】
別の例として、第一電極ブロックは、全体が絶縁性部材で構成される一方、第一通電部材が接続される領域（以下、「第一特定領域」という。）と、第一電極領域に導電性のシート部材が形成されていても構わない。このとき、第一特定領域と第一電極領域は電気的に接続されるよう、例えば、導電性のシート部材が連絡されているものとしても構わない。
【００１８】
同様に、第二電極ブロックは、全体が絶縁性部材で構成される一方、第二通電部材が接続される領域（以下、「第二特定領域」という。）と、第二電極領域に導電性のシート部材が形成されていても構わない。このとき、第二特定領域と第二電極領域は電気的に接続されるよう、例えば、導電性のシート部材が連絡されているものとしても構わない。
【００１９】
前記第一電極ブロック及び前記第二電極ブロックは、前記放電ランプから出射される光に対して反射性を有する金属部材からなるものとしても構わない。
【００２０】
上記の構成によれば、第一放電ランプから出射された紫外線のうち、第一電極ブロック及び第二電極ブロック側に向かって進行する紫外線を、光照射窓側に戻すことができ、外部への光取り出しが向上する。
【００２１】
前記第一通電部材は、前記第一電極ブロックの所定の箇所に挿入されてなる第一ネジ部材と、前記第一ネジ部材と前記電源部とを接続する第一ワイヤとを含み、
前記第二通電部材は、前記第二電極ブロックの所定の箇所に挿入されてなる第二ネジ部材と、前記第二ネジ部材と前記電源部とを接続する第二ワイヤとを含むものとしても構わない。
【００２２】
特に、第一放電ランプは、各電極ブロックに形成された凹溝に嵌め込まれた状態で、各電極ブロックに跨るように配置される。そして、上述したように、第一放電ランプと、各電極ブロックに形成された凹溝との接触領域が、放電を実行させるための電極領域（第一電極領域、第二電極領域）を構成する。このため、第一放電ランプと、各電極ブロックとは接触状態が安定的に保持されることが好ましい。かかる観点から、紫外線照射装置は、第一放電ランプを、各電極ブロックとは反対側の位置から各電極ブロックに対して押さえるための保持部材を、電極ブロック毎に備えることが好ましい。
【００２３】
保持部材は、一部の領域において、第一放電ランプの管体の外側面の一部に這わせられるように湾曲した形状を呈するランプ押さえ部分を有する。また、ランプ押さえ部分によって第一放電ランプを各電極ブロックに対して押さえる機能を十分発揮するために、保持部材は、ランプ押さえ部分とは別の位置において、各電極ブロックとネジ留めされるのが好ましい。
【００２４】
すなわち、各電極ブロックは、保持部材を介して第一放電ランプとネジ留めされることが好ましく、この限りにおいて、各電極ブロックはネジ切りが施されることが予定されている。つまり、第一電極ブロックは、保持部材をネジ留めするためのネジ切りの箇所とは別の箇所に、前記第一通電部材としての第一ネジ部材を装着するためのネジ切りを追加的に形成しておけばよい。同様に、第二電極ブロックは、保持部材をネジ留めするためのネジ切りの箇所とは別の箇所に、前記第二通電部材としての第二ネジ部材を装着するためのネジ切りを追加的に形成しておけばよい。すなわち、上記の構成によれば、製造工程を複雑化することなく、簡易な構造で電源部と各電極ブロックとの電気的な接続を確保することができる。
【００２５】
前記第一電極ブロック及び前記第二電極ブロックのそれぞれは、前記第一方向から見たときに、相互に離間した複数の箇所に前記凹溝が形成されており、
前記紫外線照射装置は、前記第一電極ブロック及び前記第二電極ブロックのそれぞれに形成された前記凹溝の個数に応じた数の前記第一放電ランプを備えるものとしても構わない。
【００２６】
かかる構成によれば、装置規模が拡大するのを抑制しながら、紫外線の放射照度を高めた紫外線照射装置が実現される。
【００２７】
前記紫外線照射装置は、
前記第一放電ランプよりも始動電圧の低い、第二放電ランプを有し、
前記第一電極ブロック及び前記第二電極ブロックのそれぞれは、前記第一方向から見たときに、相互に離間した複数の箇所に前記凹溝が形成されており、
前記第一電極ブロック及び前記第二電極ブロックのそれぞれに形成された前記凹溝の個数が、前記第一放電ランプの本数と前記第二放電ランプの本数の総数に対応しているものとしても構わない。
【００２８】
第一放電ランプを高出力にするためには、封入されるガスの圧力を高める必要があり、この結果、放電開始電圧が上昇する。また、第一放電ランプに封入されるガスにハロゲンガスが含まれる場合においても、放電開始電圧が上昇する。上記構成によれば、第一放電ランプよりも始動電圧の低い第二放電ランプを有するため、第一放電ランプの始動時間を短縮化することができる。また、この第二放電ランプについても、第一放電ランプと同様の態様で、電極ブロックを通じて給電することができるため、装置規模が拡大するのを抑制することができる。
【００２９】
第二放電ランプは、例えば外部電極式放電ランプで構成される。
【００３０】
このとき、前記第一放電ランプの本数は、前記第二放電ランプの本数以上であるものとしても構わない。
【００３１】
前記第一放電ランプは、紫外線を出射可能な第一放電用ガスが封入された管体を有し、
前記第二放電ランプは、可視光を出射可能な第二放電用ガスが封入された管体を有するものとしても構わない。
【００３２】
第一放電ランプが点灯中においては、光照射窓から紫外線が照射される。しかし、紫外線は可視光よりも短波長であるため、視認することが困難である。従って、第一放電ランプが実際には点灯しているにも関わらず、点灯していないと誤認して、光照射窓の近傍に存在する目的外の物に対して誤って紫外線が照射されるおそれが考えられる。
【００３３】
上記の構成によれば、第二放電ランプは、始動補助用としての光源と共に、第一放電ランプが点灯していることを視覚的に確認するための点灯確認用の光源としての機能を両立することができる。これにより、装置規模の拡大を抑制しながら、点灯確認用の光源を含む紫外線照射装置が実現される。
【００３４】
前記第一放電用ガスは、ＫｒとＣｌとを含み、
前記第二放電用ガスは、Ｎｅを含むものとしても構わない。
【００３５】
第一放電用ガスとして、ＫｒとＣｌを含む場合、第一放電ランプは、主たる発光波長が２２２ｎｍの紫外線を生成する。波長が２３０ｎｍ以下の紫外線であれば、皮膚の角質に吸収され表皮細胞まで到達することがないため、かかる紫外線が人体に照射されても、人体の細胞への影響が抑制される。このため、例えば日用品の殺菌・消臭の用途など、一般消費者の利用にも供することができる。
【００３６】
前記電源部は、電池、及び前記電池から供給される電圧を変圧する電装体を含み、
前記紫外線照射装置は、
前記電池が収容される電池収容部と、
前記電池収容部とは離間した位置に配置され前記電装体が収容される電装体収容部と、
前記電池収容部及び前記電装体収容部とは離間した位置に配置され、前記第一電極ブロック、前記第二電極ブロック、及び前記第一放電ランプを収容し、一部の箇所に前記光照射窓が形成されてなるランプ収容部と、
前記電池収容部、前記電装体収容部、及び前記ランプ収容部を収容するケーシング部材とを有するものとしても構わない。
【００３７】
かかる構成によれば、例えば携帯が可能な大きさの紫外線照射装置が実現される。
【発明の効果】
【００３８】
本発明の紫外線照射装置によれば、従来構造よりも大幅に小型化することができる。
【図面の簡単な説明】
【００３９】
【図１】本発明の紫外線照射装置の一実施形態の構成を模式的に示す斜視図である。
【図２】本発明の紫外線照射装置の一実施形態の構成を模式的に示す斜視図である。
【図３】本発明の紫外線照射装置の一実施形態の構成を模式的に示す平面図であり、一部の構成要素の図示が省略されている。
【図４】図３の一部拡大図である。
【図５】第一放電ランプと電極ブロックとの位置関係を模式的に示す図面である。
【図６】第二放電ランプと電極ブロックとの位置関係を模式的に示す図面である。
【図７】本発明の紫外線照射装置の構成要素のうち、電極ブロック及び放電ランプの周辺の構成要素を抽出して図示した模式的な斜視図である。
【図８】図７を、−Ｘ方向から見たときの模式的な平面図である。
【図９】図７を、＋Ｘ方向から見たときの模式的な平面図である。
【図１０】電極ブロックの模式的な斜視図である。
【図１１】電極ブロックの模式的な斜視図であり、図１０とは見る方向を異ならせて図示されている。
【図１２】電極ブロックの図示を省略して、各放電ランプの接続関係を模式的に示す斜視図である。
【図１３】電極ブロックの図示を省略して、各放電ランプの接続関係を模式的に示す斜視図であり、図１２とは見る方向を異ならせて図示されている。
【図１４】図９内のＸ１−Ｘ１線での模式的な断面図である。
【図１５】図９内のＸ２−Ｘ２線での模式的な断面図である。
【図１６Ａ】別実施形態の紫外線照射装置が備える、電極ブロックと放電ランプとの位置関係を模式的に示す図面である。
【図１６Ｂ】別実施形態の紫外線照射装置が備える、電極ブロックと放電ランプとの位置関係を模式的に示す別の図面である。
【図１７】別実施形態の紫外線照射装置が備える、電極ブロックの構造を模式的に示す斜視図である。
【図１８】従来の小型の紫外線照射装置の構造を模式的に示す図面である。
【図１９】図１８に示す紫外線照射装置に搭載されているエキシマランプの構造を模式的に示す図面である。
【発明を実施するための形態】
【００４０】
本発明に係る紫外線照射装置の構成につき、図１〜図１５の各図を参照して説明する。なお、以下の各図面は、模式的に図示されたものであり、図面上の寸法比と実際の寸法比は必ずしも一致していない。また、各図面間においても、寸法比は必ずしも一致していない。
【００４１】
図１及び図２は、本発明に係る紫外線照射装置の構成を模式的に示す斜視図である。なお、以下の各図では、紫外線の取り出し方向をＸ方向とし、Ｘ方向に直交する２方向をＹ方向及びＺ方向とした、ＸＹＺ座標系を参照して説明される。なお、本実施形態では、Ｙ方向が「第一方向」に対応する。
【００４２】
紫外線照射装置１は、ケーシング部材３を有する。ケーシング部材３は、内側に、電池収容部９、電装体収容部１３、及びランプ収容部１７を収容する。ランプ収容部１７には、図３などを参照して後述される放電ランプ（２１，２２）が収容されている。電池収容部９には、電池７が収容されている。電装体収容部１３には、電池７から供給される電圧を変圧するための変圧器を含む電装体１１が収容されている。電装体１１で変圧された電圧が、放電ランプ（２１，２２）に供給されて、放電ランプ（２１，２２）が点灯する。本実施形態において、電池７及び電装体１１によって電源部１０が構成される。本実施形態では、電装体収容部１３は、電池収容部９に対して＋Ｙ方向の位置に配置され、ランプ収容部１７は、電装体収容部１３に対して＋Ｙ方向の位置に配置されている。
【００４３】
一例として、図１に示すように、ケーシング部材３の表面の一部に電源ボタン５が配置されている。電源ボタン５が操作されることで、電源部１０と放電ランプ（２１，２２）との間で電気的な接続が形成され、放電ランプ（２１，２２）が点灯を開始する。
【００４４】
図２に示すように、ケーシング部材３の一部分には、紫外線を取り出すための光照射窓１５が形成されている。光照射窓１５は、紫外線を透過する材料からなり、例えば石英ガラスで構成される。
【００４５】
なお、本実施形態では、紫外線が＋Ｘ方向に取り出される場合を取り上げて説明する。このため、光照射窓１５は、ケーシング部材３の一方のＹＺ平面側にのみ設けられている。しかし、紫外線の取り出し方向は一方向に限定されず、本発明は、紫外線が複数の方向に取り出される構成を排除しない。このような構成については、別実施形態の項において後述される。
【００４６】
図３は、紫外線照射装置１を＋Ｘ方向から見たときの模式的な平面図であり、説明の都合上、光照射窓１５の図示が省略されている。本実施形態において、ランプ収容部１７内には、紫外線を出射する放電ランプ２１（以下、「第一放電ランプ２１」という。）と、可視光を出射する放電ランプ２２（以下、「第二放電ランプ２２」という。）とが収容されている。
【００４７】
本実施形態の紫外線照射装置１は、一例として、２本の第一放電ランプ２１と、１本の第二放電ランプ２２とを有している。本実施形態では、２本の第一放電ランプ２１は、Ｚ方向に並べて配置されている。以下において、２本の第一放電ランプ２１を区別する場合には、−Ｚ側に位置する第一放電ランプ２１を「第一放電ランプ２１ａ」と呼び、＋Ｚ側に位置する第一放電ランプ２１を「第一放電ランプ２１ｂ」と呼ぶことがある。
【００４８】
第一放電ランプ２１及び第二放電ランプ２２は、共に、電源部１０から給電されることで放電し、発光する構成である。
【００４９】
図４は、図３から放電ランプ（２１，２２）の近傍部分を拡大した図面である。本実施形態の紫外線照射装置１は、Ｙ方向に離間して配置された２つの電極ブロック（３１，３２）を有している。両放電ランプ（２１，２２）は、共に、これら２つの電極ブロック（３１，３２）に接触しながら跨るように配置されている。電極ブロック（３１，３２）と放電ランプ（２１，２２）との位置関係について、図５及び図６を参照して説明する。なお、以下では、電極ブロック３１を「第一電極ブロック３１」と呼び、電極ブロック３２を「第二電極ブロック３２」と呼ぶことがある。
【００５０】
図５は、第一放電ランプ２１と、電極ブロック（３１，３２）との位置関係を模式的に示す図面である。図６は、第二放電ランプ２２と、電極ブロック（３１，３２）との位置関係を模式的に示す図面である。
【００５１】
後述されるように、電極ブロック（３１，３２）には、それぞれＹ方向に延伸する凹溝が形成されている。第一放電ランプ２１は、第一放電用ガス２１Ｇが封入された管体２５（以下、「第一管体２５」という。）を有する。第一管体２５は、電極ブロック（３１，３２）に形成された凹溝に嵌め込まれる態様で、電極ブロック（３１，３２）の一部と接触した状態で配置される。このとき、第一管体２５と第一電極ブロック３１との接触箇所によって構成される第一電極領域６１と、第一管体２５と第二電極ブロック３２との接触箇所によって構成される第二電極領域６２との間に電圧が印加されると、第一放電用ガス２１Ｇがエキシマ放電し、第一管体２５内で発光を生じる。すなわち、第一放電ランプ２１は、エキシマランプで構成される。
【００５２】
第一放電用ガス２１Ｇは、放電によって紫外線を出射することのできる材料で構成される。第一放電用ガス２１Ｇは、例えば、キセノン（Ｘｅ）、アルゴン（Ａｒ）、ネオン（Ｎｅ）、クリプトン（Ｋｒ）などの希ガス又はこれらの混合ガスと、フッ素（Ｆ）、塩素（Ｃｌ）、臭素（Ｂｒ）などのハロゲンガス又はこれらの混合ガスとを含む。一例として、第一放電用ガス２１Ｇは、ＫｒとＣｌを含む混合ガスで構成される。この場合、第一放電ランプ２１からは主たる波長が２２２ｎｍの紫外線が出射される。
【００５３】
本実施形態において、電極ブロック（３１，３２）は、金属材料からなり、より好ましくは、第一放電ランプ２１から出射される紫外線に対して反射性を有する材料からなる。一例として、電極ブロック（３１，３２）は、Ａｌやステンレスなどからなる。
【００５４】
本実施形態の紫外線照射装置１は、上述したように、光照射窓１５を介して＋Ｘ方向に紫外線が取り出される構成である。このため、本実施形態では、紫外線の取り出し効率を確保する観点から、電極ブロック（３１，３２）は、第一管体２５よりも−Ｘ側に配置されている。ただし、上述したように、電極ブロック（３１，３２）が紫外線に対して反射性を有する材料で構成されるとき、第一管体２５から−Ｘ方向に進行した紫外線についても、電極ブロック（３１，３２）で反射して＋Ｘ方向に進行させることができる。
【００５５】
第二放電ランプ２２は、第二放電用ガス２２Ｇが封入された管体２６（以下、「第二管体２６」という。）を有する。後述されるように、各電極ブロック（３１，３２）には、Ｙ方向から見たときに、相互に離間した複数の箇所に凹溝が形成されている。第二管体２６は、電極ブロック（３１，３２）に形成された凹溝のうち、第一管体２５が嵌め込まれている凹溝とは異なる凹溝に嵌め込まれる態様で、電極ブロック（３１，３２）の一部と接触した状態で配置される。このとき、第二管体２６と第一電極ブロック３１との接触箇所によって構成される第三電極領域６３と、第二管体２６と第二電極ブロック３２との接触箇所によって構成される第四電極領域６４との間に電圧が印加されると、第二放電用ガス２２Ｇが放電し、第二管体２６内で発光を生じる。すなわち、第二放電ランプ２２は、外部電極式放電ランプで構成される。
【００５６】
第二放電用ガス２２Ｇは、放電によって可視光を出射することのできる材料で構成される。第二放電用ガス２２Ｇは、例えば、Ｎｅ、Ａｒ、Ｋｒ、Ｘｅなどの希ガスを含む。一例として、第二放電用ガス２２Ｇは、Ｎｅで構成される。この場合、第二放電ランプ２２からは主たる波長が５００〜８００ｎｍの可視光が出射される。なお、第二放電用ガス２２Ｇのガス種及び封入圧は、第二放電ランプ２２の放電開始電圧が、第一放電ランプ２１の放電開始電圧よりも低くなるように設定される。
【００５７】
本実施形態の紫外線照射装置１においては、電極ブロック（３１，３２）は、第二管体２６よりも＋Ｘ側に配置されている。ただし、本実施形態の紫外線照射装置１においては、第一電極ブロック３１と第二電極ブロック３２とは、Ｙ方向に離間して配置されている（離間部ｙ１）。このため、第二管体２６内で発光した可視光についても、この離間部ｙ１を介して＋Ｘ方向に進行させて、光照射窓１５から取り出すことができる。
【００５８】
各電極ブロック（３１，３２）と、各放電ランプ（２１，２２）との位置関係について、図７〜図１５を参照して詳細に説明する。
【００５９】
図７は、紫外線照射装置１から、電極ブロック（３１，３２）及び放電ランプ（２１，２２）の周辺の構成要素を抽出して図示した模式的な斜視図である。図８は、図７の図面を、−Ｘ方向から見たときの模式的な平面図である。図８では、説明の都合上、電装体１１（電源部１０）が併せて模式的に図示されている。図９は、図８とは逆に、図７の図面を、＋Ｘ方向から見たときの模式的な平面図である。
【００６０】
図１０及び図１１は、いずれも電極ブロック（３１，３２）を抽出して模式的に図示した斜視図である。図示の都合上、見る方向を異ならせた図１０及び図１１の２図面が描かれている。
【００６１】
図１２及び図１３は、電極ブロック（３１，３２）の図示を省略して、各放電ランプ（２１，２２）の接続関係を模式的に示す斜視図である。図示の都合上、見る方向を異ならせた図１２及び図１３の２図面が描かれている。
【００６２】
図１４は、図９内のＸ１−Ｘ１線での模式的な断面図である。図１５は、図９内のＸ２−Ｘ２線での模式的な断面図である。ただし、図示の都合上、図１４及び図１５共に、第二放電ランプ２２が紙面上側に配置されるように描かれている。
【００６３】
図１０及び図１１に示すように、第一電極ブロック３１は、側面上の異なる位置において、Ｙ方向に延伸するように形成された凹溝（３１ａ，３１ｂ，３１ｃ）を有する。同様に、第二電極ブロック３２は、側面上の異なる位置において、Ｙ方向に延伸するように形成された凹溝（３２ａ，３２ｂ，３２ｃ）を有する。これらの凹溝（３１ａ，３１ｂ，３１ｃ，３２ａ，３２ｂ，３２ｃ）は、放電ランプ（２１，２２）の管体（２５，２６）の側面の形状に沿う形状を呈しており、放電ランプ（２１，２２）の管体（２５，２６）の一部を嵌め込むことができるように構成されている。
【００６４】
より詳細には、凹溝３１ａ及び凹溝３２ａには第一放電ランプ２１ａの管体２５（第一管体２５）が嵌め込まれ、凹溝３１ｂ及び凹溝３２ｂには第一放電ランプ２１ｂの管体２５（第一管体２５）が嵌め込まれ、凹溝３１ｃ及び凹溝３２ｃには第二放電ランプ２２の管体２６（第二管体２６）が嵌め込まれる。
【００６５】
以下では、第一電極ブロック３１に形成された、第一放電ランプ２１用の凹溝（３１ａ，３１ｂ）を、「第一凹溝（３１ａ，３１ｂ）」と呼び、第一電極ブロック３１に形成された、第二放電ランプ２２用の凹溝３１ｃを、「第二凹溝３１ｃ」と呼ぶことがある。同様に、第二電極ブロック３２に形成された、第一放電ランプ２１用の凹溝（３２ａ，３２ｂ）を、「第三凹溝（３２ａ，３２ｂ）」と呼び、第二電極ブロック３２に形成された、第二放電ランプ２２用の凹溝３２ｃを、「第四凹溝３２ｃ」と呼ぶことがある。
【００６６】
第一電極ブロック３１は、＋Ｘ側の側面に第一凹溝（３１ａ，３１ｂ）が形成され、その反対側である−Ｘ側の側面に第二凹溝３１ｃが形成されている。同様に、第二電極ブロック３２は、＋Ｘ側の側面に第三凹溝（３２ａ，３２ｂ）が形成され、その反対側である−Ｘ側の側面に第四凹溝３２ｃが形成されている。
【００６７】
上述したように、第一放電ランプ２１ａの管体２５は、第一凹溝３１ａと第三凹溝３２ａとに嵌め込まれつつ、両電極ブロック（３１，３２）に跨るように配置される。上述したように、電極ブロック（３１，３２）は金属部材からなるため、第一電極ブロック３１の第一凹溝３１ａと第一放電ランプ２１ａの管体２５との接触箇所において、第一電極領域６１が形成される。そして、第一電極ブロック３１と第二電極ブロック３２とはＹ方向に離間した位置に配置されているため、第二電極ブロック３２の第三凹溝３２ａと第一放電ランプ２１ａの第一管体２５との接触箇所において、第一電極領域６１とは電気的に離間した第二電極領域６２が形成される。第一放電ランプ２１ｂにおいても同様である。
【００６８】
同様に、第二放電ランプ２２の管体２６は、第二凹溝３１ｃと第四凹溝３２ｃとに嵌め込まれつつ、両電極ブロック（３１，３２）に跨るように配置される。上述したように、電極ブロック（３１，３２）は金属部材からなるため、第一電極ブロック３１の第二凹溝３１ｃと第二放電ランプ２２の管体２６との接触箇所において、第三電極領域６３が形成される。そして、第一電極ブロック３１と第二電極ブロック３２とはＹ方向に離間した位置に配置されているため、第二電極ブロック３２の第四凹溝３２ｃと第二放電ランプ２２の第二管体２６との接触箇所において、第三電極領域６３とは電気的に離間した第四電極領域６４が形成される。
【００６９】
図８に示すように、電源部１０（より詳細には電装体１１）は、第一端子１０ａと第二端子１０ｂとを備える。第一端子１０ａは、第一ワイヤ４１及び第一ネジ部材４３を介して第一電極ブロック３１と電気的に接続される。同様に、第二端子１０ｂは、第二ワイヤ４２及び第二ネジ部材４４を介して第二電極ブロック３２と電気的に接続される。すなわち、本実施形態では、図７に示されるように、第一ワイヤ４１と第一ネジ部材４３とによって第一通電部材５１が形成され、第二ワイヤ４２と第二ネジ部材４４とによって第二通電部材５２が形成されている。
【００７０】
第一ネジ部材４３及び第二ネジ部材４４は、いずれも導電性の金属材料からなる。第一ネジ部材４３は、第一ワイヤ４１と連結され、且つ、第一電極ブロック３１内に挿入されている。第二ネジ部材４４は、第二ワイヤ４２と連結され、且つ、第二電極ブロック３２内に挿入されている。第二ネジ部材４４を介して第二電極ブロック３２と通電されている構成が、図１４の断面図に図示されている。なお、比較のために、図１５には、第二ネジ部材４４が形成されていない箇所における断面図が図示されている。
【００７１】
図７に示す例では、紫外線照射装置１は、第一電極ブロック３１と放電ランプ（２１，２２）との接触状態を保持するための、保持部材４６を備える。この保持部材４６は、一部分において、放電ランプ（２１，２２）の外側面の形状に沿う形状を呈した、押さえ部材４６ａを有する。そして、保持部材４６は、固定ネジ４８を介して第一電極ブロック３１とネジ留めされている。同様に、紫外線照射装置１は、第二電極ブロック３２と放電ランプ（２１，２２）との接触状態を保持するための、保持部材４７を備える。この保持部材４７は、一部分において、放電ランプ（２１，２２）の外側面の形状に沿う形状を呈した、押さえ部材４７ａを有する。そして、保持部材４７は、固定ネジ４９を介して第二電極ブロック３２とネジ留めされている。
【００７２】
上記の構成によれば、各放電ランプ（２１，２２）は、電極ブロック（３１，３２）に形成された凹溝（３１ａ，３１ｂ，３１ｃ，３２ａ，３２ｂ，３２ｃ）との接触領域によって形成された電極領域（６１，６２，６３，６４）を通じて電圧が印加される。このため、各放電ランプ（２１，２２）は、直管形構造を採用することができ、紫外線照射装置１の規模が小型化できる。一例として、第一放電ランプ２１の第一管体２５、及び第二放電ランプ２２の第二管体２６の大きさは、それぞれ、Ｙ方向に係る長さが１５ｍｍ以上、２００ｍｍ以下であり、外径が２ｍｍ以上、１６ｍｍ以下である。
【００７３】
更に、紫外線照射装置１は、紫外線を出射する第一放電ランプ２１よりも始動電圧（放電開始電圧）の低い、第二放電ランプ２２を備えている。そして、第二放電ランプ２２は、第一放電ランプ２１の近傍に配置されているため、第二放電ランプ２２から出射された可視光が、第一放電ランプ２１の第一管体２５に照射されることで、始動補助としての機能を果たし、第一放電ランプ２１の点灯開始時間を短くすることができる。
【００７４】
更に、上記構成によれば、第二放電ランプ２２から出射された可視光の一部が、第一電極ブロック３１と第二電極ブロック３２との離間部ｙ１を通じて、光照射窓１５から取り出される。第二放電ランプ２２は、第一放電ランプ２１と同様に、電極ブロック（３１，３２）を通じて電圧が印加されることで発光する構成であるため、第二放電ランプ２２からの可視光が光照射窓１５から照射されていることが確認されれば、第一放電ランプ２１にも電圧が印加されていることになり、擬似的に、第一放電ランプ２１から紫外線が出射されているとみなすことができる。これにより、使用者は、光照射窓１５を通じて第二放電ランプ２２から出射された可視光を視認することで、紫外線が光照射窓１５から照射されていることを知ることができる。
【００７５】
［別実施形態］
以下、別実施形態につき説明する。
【００７６】
〈１〉紫外線照射装置１が備える、第一放電ランプ２１及び第二放電ランプ２２の本数、及び配置の態様は任意である。例えば、図１６Ａに示すように、紫外線照射装置１は、各電極ブロック（３１，３２）の向かい合う側面上に、それぞれ１本の第一放電ランプ２１及び第二放電ランプ２２を備えるものとしても構わない。また、図１６Ｂに示すように、各電極ブロック（３１，３２）の４側面のうち、１つの側面上には第二放電ランプ２２が配置され、残りの３つの側面上に第一放電ランプ２１が配置されるものとしても構わない。図１６Ｂの構成の場合には、紫外線照射装置１は、３面に光照射窓１５を備えるものとしても構わない。これにより、多方向に紫外線を取り出すことができるため、例えば、靴の中の殺菌・消臭など、所定の空間内の殺菌・消臭の用途に利用しやすい構造とすることができる。
【００７７】
なお、Ｙ方向から見たときの電極ブロック（３１，３２）の形状は、必ずしも矩形状である必要はなく、多角形状や円形状など、種々の形状が採用され得る。
【００７８】
〈２〉図１７に示すように、第一凹溝３１ａは、第一電極ブロック３１の＋Ｘ側の側面上に形成され、第三凹溝３２ａは、第二電極ブロック３２の−Ｘ側の側面上に形成されていても構わない。すなわち、放電ランプ（２１，２２）は、一方の電極ブロックの＋Ｘ側の面上に形成された凹溝と、他方の電極ブロックの−Ｘ側の面上に形成された凹溝とに嵌め込まれるように載置されていても構わない。ただし、この場合、紫外線照射装置１は、ケーシング部材３の＋Ｘ側と−Ｘ側の双方の側面に光照射窓１５を備えるのが好ましい。
【００７９】
〈３〉上述した実施形態では、第一電極ブロック３１と第二電極ブロック３２とは、Ｙ方向に離間して配置されているものとして説明した。しかし、第一電極ブロック３１と第二電極ブロック３２とが絶縁性部材を介在して連結されているものとしても構わない。
【００８０】
ただしこの場合、図６に示す離間部ｙ１が存在しないため、第二放電ランプ２２から出射される可視光は、電極ブロック（３１，３２）によって遮られる結果、光照射窓１５から視認可能な光量で取り出されない可能性がある。かかる場合には、紫外線照射装置１は、ケーシング部材３の−Ｘ側の側面上にも、可視光を取り出すための光照射窓を別途備えるものとしても構わない。
【００８１】
〈４〉上述した実施形態では、第一電極ブロック３１と第二電極ブロック３２とは、いずれも導電性の金属部材からなるものとして説明した。しかし、両電極ブロック（３１，３２）を絶縁性材料で構成し、通電部材（５１，５２）が接続される領域、並びに、各放電ランプ（２１，２２）の管体（２５，２６）と接触される領域（すなわち、第一電極領域〜第四電極領域）に、導電性のシート部材を設けるものとしても構わない。
【００８２】
〈５〉各放電ランプ（２１，２２）は、第一電極ブロック３１と第二電極ブロック３２との間に配置された他のブロックについても跨るように配置されていても構わない。
【００８３】
〈６〉上記実施形態において、紫外線照射装置１は、可視光を出射する第二放電ランプ２２を備えるものとして説明した。しかし、本発明は、第二放電ランプ２２を備えず、紫外線を出射する第一放電ランプ２１のみを備える紫外線照射装置１を除外するものではない。
【００８４】
〈７〉各図を参照して説明した紫外線照射装置１の構造は、あくまで一例であり、本発明は、各図に図示された構造に限定されない。例えば、紫外線照射装置１は、保持部材（４６，４７）や固定ネジ（４８，４９）を備えないものとしても構わない。
【符号の説明】
【００８５】
１      ：    紫外線照射装置
３      ：    ケーシング部材
５      ：    電源ボタン
７      ：    電池
９      ：    電池収容部
１０      ：    電源部
１０ａ    ：    第一端子
１０ｂ    ：    第二端子
１１      ：    電装体
１３      ：    電装体収容部
１５      ：    光照射窓
１７      ：    ランプ収容部
２１（２１ａ，２１ｂ）      ：    第一放電ランプ
２１Ｇ    ：    第一放電用ガス
２２      ：    第二放電ランプ
２２Ｇ    ：    第二放電用ガス
２５      ：    第一管体
２６      ：    第二管体
３１      ：    第一電極ブロック
３１ａ，３１ｂ      ：    第一凹溝
３１ｃ    ：    第二凹溝
３２      ：    第二電極ブロック
３２ａ，３２ｂ    ：    第三凹溝
３３ｃ    ：    第四凹溝
４１      ：    第一ワイヤ
４２      ：    第二ワイヤ
４３      ：    第一ネジ部材
４４      ：    第二ネジ部材
４６，４７      ：    保持部材
４６ａ，４７ａ      ：    ランプ押さえ部分
４８，４９      ：    固定ネジ
５１      ：    第一通電部材
５２      ：    第二通電部材
６１      ：    第一電極領域
６２      ：    第二電極領域
６３      ：    第三電極領域
６４      ：    第四電極領域
１００      ：    従来の紫外線照射装置
１０１      ：    把持部
１０２      ：    筐体
１０３      ：    ランプ収容部
１０４      ：    光照射窓
１１０      ：    エキシマランプ
１２１      ：    外側管
１２２      ：    内側管
１２３Ｇ    ：    放電用ガス
１２４      ：    外側電極
１２５      ：    内側電極
１２６      ：    電源部
ｙ１    ：    離間部
【図１】
2020092968.tif 000003
【図２】
2020092968.tif 000004
【図３】
2020092968.tif 000005
【図４】
2020092968.tif 000006
【図５】
2020092968.tif 000007
【図６】
2020092968.tif 000008
【図７】
2020092968.tif 000009
【図８】
2020092968.tif 000010
【図９】
2020092968.tif 000011
【図１０】
2020092968.tif 000012
【図１１】
2020092968.tif 000013
【図１２】
2020092968.tif 000014
【図１３】
2020092968.tif 000015
【図１４】
2020092968.tif 000016
【図１５】
2020092968.tif 000017
【図１６Ａ】
2020092968.tif 000018
【図１６Ｂ】
2020092968.tif 000019
【図１７】
2020092968.tif 000020
【図１８】
2020092968.tif 000021
【図１９】
2020092968.tif 000022